(57)【要約】      （修正有）【課題】駅のプラットホーム下の側壁面を有効に活用した情報表示装置を提供する。【解決手段】線路を挟んだ対面側の駅のプラットホーム又は停車中の列車の窓から視認できる、駅のプラットホーム下の側壁面の上部に、文字、図柄等の情報を表示する表示板による情報表示装置を設けることにより、従来利用されていなかった駅ホーム下の側壁面の上部を広告スペースなどの情報提供スペースとして利用し、鉄道駅構内における新たな情報提供媒体を提供することができる。【選択図】図１
0003145365.tif 000002
【実用新案登録請求の範囲】
【請求項１】
線路を挟んだ対面側の駅のプラットホーム又は停車中の列車の窓から視認できる、駅のプラットホーム下の側壁面上部に備え付けられた、文字、図柄からなる情報を表示する表示板からなる駅プラットホーム情報表示装置。
【請求項２】
上記表示板は、紙、木、フィルム、アクリル板及び金属を含む群より選ばれた一種を用いて形成されている着脱可能な構造の表示板、又は有機エレクトロルミネセンスパネル、液晶パネル、発光ダイオードパネル及び電子シートを含む群より選ばれた一種を用いて形成されている電気的に表示する表示板である請求項１記載の駅プラットホーム情報表示装置。
【請求項３】
上記表示板に、汚れ防止の透明カバーが装着されている請求項１又は２に記載の駅プラットホーム情報表示装置。
【請求項４】
上記表示板において、広告、ニュース、天気予報、乗車位置、緊急時の退避スペースの案内、列車の運行情報、乗り換え情報、現在時刻情報、事故情報、出口／入口案内、路線案内、又は駅構内の案内情報を表示する請求項１〜３いずれかに記載の駅プラットホーム情報表示装置。
【考案の詳細な説明】
【技術分野】
【０００１】  本考案は、駅のプラットホーム下の側壁面を利用した情報表示装置に関する。
【考案の開示】
【考案が解決しようとする課題】
【０００２】  駅のプラットホーム下の側壁面は、従来、十分に活用されているとは言えなかった。掃除も十分にされておらず、対面するホームや列車の中から見ると、汚れが目立っていた。また人が線路に落ちたときの緊急時の退避スペースとして利用されているが、退避スペースがある場所の案内表示も十分になされているとは言えなかった。【０００３】  本考案は、このような駅のプラットホーム下の側壁面を有効に利用する手段を提供するものである。
【課題を解決するための手段】
【０００４】  上記課題を解決する為の手段を以下に述べる。【０００５】  第１の課題解決手段は、線路を挟んだ対面側の駅のプラットホーム又は停車中の列車の窓から視認できる、駅のプラットホーム下の側壁面の上部に、文字、図柄からなる情報を表示する表示板を設ける構成とした情報表示装置である。【０００６】  本考案における駅ホーム下の側壁面の上部とは、乗客が立っているプラットホームの、線路側の地面に向かって降りている側壁面のうち上部に位置する、列車の車両に対面する、出張っている部分を指す。【０００７】  また第２の課題解決手段は、上記表示板は、紙、木、フィルム、アクリル板及び金属を含む群より選ばれた一種を用いて形成されている着脱可能な構造の表示板、又は有機エレクトロルミネセンスパネル、液晶パネル、発光ダイオードパネル及び電子シートを含む群より選ばれた一種を用いて形成されている電気的に表示する表示板である情報表示装置である。【０００８】  上記着脱可能な表示板は、装着枠である上縁部と下縁部のそれぞれに前面側に折り返し向かい合わせになる凹部を設け、上下の凹部に表示板の上縁部と下縁部を抜き差し自由に挿入し、装着してなることを特徴とした情報表示装置である。【０００９】  そして第３の課題解決手段は、上記表示板に汚れ防止用の透明カバーを装着した情報表示装置である。【００１０】  さらに第４の課題解決手段として、上記表示板において、広告、ニュース、天気予報、乗車位置、緊急時の退避スペースの案内、列車の運行情報、乗り換え情報、現在時刻情報、事故情報、出口／入口案内、路線案内又は駅構内の案内情報を表示する情報表示装置である。
【考案の効果】
【００１１】  本考案の効果を以下に述べる。【００１２】  上記第１の考案により、従来利用されていなかった駅ホーム下の側壁面の上部を広告スペースなどの情報提供スペースとして利用し、鉄道駅構内における新たな情報提供媒体を提供することができるという効果がある。【００１３】  また汚れている駅ホーム下の側壁面に表示板を設けることによって汚れを目立たなくすることができる。さらに情報表示装置を広告媒体として利用する業者によってクリーニングすることにより、駅ホーム下の側壁面をきれいにすることができる。【００１４】    第２の考案として、駅プラットホーム情報表示装置を、紙、木、フィルム、アクリル板及び金属を含む群より選ばれた一種を用いて形成されている着脱可能な構造の表示板とすることにより、情報を定期的に更新する事ができる。【００１５】  また電気的に表示する表示板である構成とすることによって広告、ニュース、天気予報、列車の運行情報、現在時刻情報、又は事故情報などの日々刻々と変化する駅構内の情報を乗客に提供することができる。【００１６】  第３の考案として、上記表示板に汚れ防止用の透明カバーを装着することによって汚れやすい表示板の掃除を簡便にすることができる。【００１７】  第４の考案として、上記表示板において、乗車位置、乗り換え情報、出口／入口案内、又は路線案内を表示することによって乗客に必要な情報を適宜案内することができる。また緊急時の退避スペースの表示を目立たせることによって事故防止の対策をすることができる。
【考案を実施するための最良な形態】
【００１８】  以下、本考案の実施の形態を図１〜図５に基づいて説明する。ただし本考案は以下に述べる実施の形態に限定されない。
【００１９】  図１においては、駅のプラットホーム下の側壁面の斜視図が示されており、駅プラットホーム２下の側壁面上部３に本考案の情報表示装置１が設けられている。
【００２０】  図２においては、駅ホーム下の側壁面の断面図が示されており、駅プラットホーム２下の側壁面上部３に本考案の情報表示装置１が設けられている。
【００２１】  図３においては、退避スペース６を有する駅プラットホーム２下の側壁面の断面図が示されており、駅ホーム下の側壁面上部３に本考案の情報表示装置１が設けられている。
【００２２】  図４においては、着脱可能な構造の表示板が示されている。装着枠である上縁部と下縁部のそれぞれに設けられた、上方の装着枠凹部９と下方の装着枠凹部１０に表示板７が抜き差し自由に挿入され、汚れ防止用の透明カバー８が装着されている。
【００２３】  図５においては、図４の断面図が示されている。
【産業上の利用可能性】
【００２４】  従来利用されていなかった駅ホーム下の側壁面の上部を広告スペースなどの情報提供スペースとして利用することができる。また汚れている駅ホーム下の側壁面に情報表示装置を設けることによって汚れをクリーニングすることができる。
【図面の簡単な説明】
【００２５】
【図１】本発明の実施形態を示す駅ホーム下の側壁面の斜視図
【図２】本発明の実施形態を示す駅ホーム下の側壁面の断面図
【図３】本発明の実施形態を示す、退避スペースを有する駅ホーム下の側壁面の断面図
【図４】本発明の実施形態を示す着脱可能な構造の表示板を設ける構成とした情報表示装置を示す、透明カバーの一部を欠截した正面図
【図５】図４のＡ−Ａ線に沿って断面とした縦断側面図
【符号の説明】
【００２６】  １  情報表示装置
２  駅プラットホーム
３  駅プラットホーム下の側壁面上部
４  線路
５  枕木
６  退避スペース
７  表示板
８  透明カバー
９  上方の装着枠凹部
１０  下方の装着枠凹部
【図１】
0003145365.tif 000003
【図２】
0003145365.tif 000004
【図３】
0003145365.tif 000005
【図４】
0003145365.tif 000006
【図５】
0003145365.tif 000007